(57)【特許請求の範囲】
【請求項１】
浴室の出入口に対して奥側にシャワーヘッドを有する第１の水栓を設置するとともに、該出入口側の部位であって該出入口の外から操作可能な位置において浴槽にシャワーヘッドを有する第２の水栓を設置し、前記第１の水栓と第２の水栓とにまたがって浴室の壁に手摺りを配設するとともに、該手摺りに沿ってその内部に該第１の水栓から第２の水栓に到る給水，給湯用の配管が収納してあることを特徴とする浴室。
【請求項２】
請求項１において、前記手摺りの途中箇所からシャワーホースが外部に延び出していることを特徴とする浴室。
【請求項３】
請求項１，２の何れかにおいて、前記第１の水栓及び第２の水栓の両方又は何れか一方が自身にグリップ部を備えていることを特徴とする浴室。
【発明の詳細な説明】
【０００１】
【発明の属する技術分野】
この発明は浴室に関する。
【０００２】
【従来の技術及び発明が解決しようとする課題】
従来の浴室にあっては、浴室の出入口に対して水栓が奥側に設置してあり、そのため例えば掃除をするために浴室の水栓を使用する際などにおいては浴室を横切って水栓の位置まで行かなければならず、足が濡れてしまうといった不都合があった。
【０００３】
また高齢者の入浴を介助者が介助する際などにおいても、水栓が浴室の奥側にあるため水栓を用いての介助作業がし辛いといった問題があった。
【０００４】
【課題を解決するための手段】
本発明の浴室はこのような課題を解決するために案出されたものである。
而して請求項１のものは、浴室の出入口に対して奥側にシャワーヘッドを有する第１の水栓を設置するとともに、該出入口側の部位であって該出入口の外から操作可能な位置において浴槽にシャワーヘッドを有する第２の水栓を設置し、前記第１の水栓と第２の水栓とにまたがって浴室の壁に手摺りを配設するとともに、該手摺りに沿ってその内部に該第１の水栓から第２の水栓に到る給水，給湯用の配管が収納してあることを特徴とする。
【０００５】
請求項２のものは、請求項１において、前記手摺りの途中箇所からシャワーホースが外部に延び出していることを特徴とする。
【０００６】
請求項３のものは、請求項１，２の何れかにおいて、前記第１の水栓及び第２の水栓の両方又は何れか一方が自身にグリップ部を備えていることを特徴とする。
【０００７】
【作用及び発明の効果】
上記のように請求項１の浴室は、浴室の出入口に対して奥側の第１の水栓に加えて、出入口の外から操作可能な出入口側の部位に第２の水栓を設置したもので、本発明によれば、掃除をする際などにおいて浴室の水栓を使用する際、出入口に近い位置の第２の水栓を用いることで、従来のように足を濡らすことなく浴室の水栓を便利に使用できるようになる。
【０００８】
更にまた高齢者の入浴を介助者が介助する際などにおいて、出入口側の部位に第２の水栓が設置してあるため、その第２の水栓を使用することで介助作業が楽に行えるようになる。
【０００９】
またこの請求項１のものでは、第１の水栓と第２の水栓にまたがって浴室の壁に手摺りを配設し、そしてその手摺りに沿って内部に給水，給湯用の配管を収納して、その端部を第２の水栓に接続するようになしたもので、このようにすれば、第２の水栓に対する給水，給湯用の配管の施工作業を浴室内部において簡単に行うことができる。
【００１０】
また給水，給湯用の配管が手摺り内部に収納されているため、それら配管が浴室内に露出せず、浴室内の美観を良好に保持することができる。
【００１１】
併せて浴室の壁に手摺りが巡らせてあることから、その手摺りを掴むことによって浴槽内等での姿勢保持を容易に行うことができ、更に介助者による介助作業も手摺りの存在によって容易となる利点が得られる。
【００１２】
請求項２のものは、手摺りの途中箇所からシャワーホースを外部に延び出させたもので、このようにすれば水栓の位置の如何に拘らずシャワーホースを任意の位置から浴室内に延び出させることができ、シャワーの使い勝手が良好となる。
この場合においてシャワーホースは手摺りの内部を通じて容易に第１の水栓又は第２の水栓に接続しておくことができる。
【００１３】
請求項３のものは、第１の水栓及び第２の水栓の両方又は何れか一方にグリップ部を備えたもので、このようにしておけば足腰の弱い人や高齢者等、更には介助者がその水栓のグリップ部を握ることで体重を支え或いは姿勢保持することができ、浴槽への出入りや浴槽或いは洗い場での作業、更には介助者による介助作業を容易に行うことができる利点が得られる。
【００１４】
【実施例】
次に本発明の実施例を図面に基づいて詳しく説明する。
図１及び図２において、１０は浴室の洗い場で、１２は洗い場１０に隣接して設置された浴槽である。
１４Ａ，１４Ｂ，１４Ｃ，１４Ｄは浴室の壁であって、１６は壁１４Ａと１４Ｄとの間に設けられた浴室の出入口であり、１８はその出入口１６を開閉する扉である。
【００１５】
出入口１６に対して反対側（奥側）の壁１４Ｂには、ミラー２０が取り付けられている。
更にまた浴室内部には壁１４Ｂに沿ってカウンター２２が設置されている。
【００１６】
２４は壁１４Ｂ，１４Ｃ，１４Ｄに沿って設置された手摺りである。この手摺り２４はパイプ状をなしており、実質的に壁１４Ｂの端から壁１４Ｄの端に到るまで水平に延びている。
【００１７】
本例では、浴槽１２における出入口１６とは反対側（奥側）の端部上面に第１の水栓２６が設置されている。
更に加えてこの例では、浴槽１２における出入口１６側の端部上面にも第２の水栓２８が設置されている。
ここで第１の水栓２６は洗い場水栓及び浴槽水栓兼用の水栓である。また第２の水栓２８も同様に洗い場水栓としても、また浴槽水栓としても使用可能なものである。
【００１８】
これら第１の水栓２６，第２の水栓２８は基本的に同種形態の水栓であって、水栓本体３０，シャワーヘッド３２，温調ハンドル（温度調節ハンドル）３４及び吐止水ハンドル３６をそれぞれ有している。
【００１９】
水栓本体３０にはまた、これを厚み方向に貫通する開口３８が形成されており、その開口３８によって水栓本体３０にグリップ部４０が備えられている。
尚、シャワーヘッド３２はシャワー吐水から整流吐水に若しくはその逆に切替可能なものであって、その前面に切替操作部４２（図３参照）が設けられている。
【００２０】
図３に示しているように、水栓本体３０の内部には温調ユニット（温度調節ユニット）４４及び吐止水ユニット４６が収納されており、それらが連絡管４８で連絡されている。
また温調ユニット４４には給水用，給湯用の接続口５０，５２が設けられており、それらに手摺り２４の内部に収容した給水用の配管５４（図１），給湯用の配管５６が接続可能とされている。
【００２１】
手摺り２４は浴室の壁１４Ｂの端位置から第１の水栓２６に到る第１部２４Ａと、第１の水栓２６から第２の水栓２８に到る第２部２４Ｂとから成っており、それぞれ壁１４Ｂ，１４Ｃ，１４Ｄに取付固定されている。
【００２２】
そして第１部２４Ａの内部には給水源，給湯源からの水，湯を第１の水栓２６に供給するための配管５４，５６が収容されており、更にまた第２部２４Ｂの内部には、第１部２４Ａ内の配管５４，５６に連続して、第１の水栓２６から第２の水栓２８に到る配管５４，５６がそれぞれ収容されている。
【００２３】
尚手摺り２４における第１部２４Ａ内の各配管５４，５６は、その先端部を二股状に分岐させてその一方を第１の水栓２６の接続口５０，５２に接続し、他方に別体の配管５４，５６を接続して第２部２４Ｂ内に通し或いは第１部２４Ａ内の配管５４，５６をそのまま延長させて第２部２４Ｂ内を通し、第２の水栓２８の接続口５０，５２に接続するようになすことができる。
【００２４】
図１において５８は洗面器５９を載せる洗面器台であって、溝６４により保持されている。
ここで溝６４は浴槽１２の側壁６０及びカウンター２２の前壁６２に沿って水平に連続的に延びており、洗面器台５８がこの溝６４に沿って移動可能とされている。
【００２５】
図２に示しているように、壁１４Ｂには第１の水栓２６に対応してシャワーフック６６が設けられており、また壁１４Ｄには第２の水栓２８に対応してシャワーフック６６が設けられている。
また壁１４Ｄには縦の手摺り６８が設けられている。
【００２６】
尚、図１に示しているように本例では手摺り２４Ｂの途中箇所からシャワーホース７０を外部（浴室内部）に延び出させ、その先端にシャワーヘッド３２を接続しておくことができる。
ここでシャワーホース７０は、手摺り２４における第２部２４Ｂ内部を通して第１の水栓２６に又は第２の水栓２８に接続しておくことができる。
【００２７】
このように本例では浴室の出入口１６に対して奥側の第１の水栓２６に加えて、出入口１６の外から操作可能な部位に第２の水栓２８を設置してあるので、図４（Ａ）に示しているように掃除をする際などにおいて浴室の水栓を使用する必要が生じたとき、出入口１６に近い位置の第２の水栓２８を用いることで、従来のように足を濡らすことなく浴室の水栓を便利に使用できる。
【００２８】
また、図４（Ｂ）に示しているように高齢者の入浴を介助者が介助する際などにおいて、浴槽１２における出入口１６側の部位に第２の水栓２８が設置してあるため、その第２の水栓２８を使用することで介助作業を楽に行うことができる。
【００２９】
更に、第１の水栓２６から第２の水栓２８にまたがって浴室の壁１４Ｂ，１４Ｃ，１４Ｄに手摺り２４を配設し、そしてその手摺り２４に沿って内部に給水，給湯用の配管５４，５６を収納しているため、第２の水栓２８に対する給水，給湯用の配管５４，５６の施工作業を浴室内部において簡単に行うことができる。
【００３０】
また給水，給湯用の配管５４，５６が手摺り２４内部に収納されているためにそれら配管５４，５６が浴室内に露出せず、浴室内の美観を良好に保持できる。
【００３１】
併せて浴室の壁１４Ｂ，１４Ｃ，１４Ｄに手摺り２４が巡らせてあるので、その手摺り２４を掴むことによって浴槽１２内等での姿勢保持を容易に行うことができ、更に介助者による介助作業も容易に行うことができる。
【００３２】
また本例に従って手摺り２４の途中箇所からシャワーホース７０を延び出させるようにした場合、水栓の位置の如何に拘らずシャワーホース７０を任意の位置から浴室内に延び出させることができ、シャワーの使い勝手が良好となる。
【００３３】
更に図４（Ｂ），図５に示しているように、第１の水栓２６及び第２の水栓２８の両方にグリップ部４０を備えているので、足腰の弱い人や高齢者等、更には介助者がその水栓のグリップ部４０を握ることで体重を支え或いは楽に姿勢保持することができ、浴槽１２への出入りや洗い場１０或いは浴槽１２での作業、更には介助者による介助作業を容易に行うことができる。
【００３４】
以上本発明の実施例を詳述したがこれはあくまで一例示である。
例えば上記実施例では第１の水栓２６と第２の水栓２８とで同種形態のものが用いられているが、勿論種類及び形態の異なる水栓を用いることも可能である。
【００３５】
更に洗面器台５８を溝６４に沿って移動可能となしているが、第１の水栓２６及び第２の水栓２８の設置位置の近接箇所に洗面器台５８を固定的に設けておくこともできるし、或いはその洗面器台５８を折り畳み可能な形態のものとなしておくこともできる。
その他本発明はその主旨を逸脱しない範囲において種々変更を加えた形態で構成可能である。
【図面の簡単な説明】
【図１】  本発明の一実施例である浴室の内部を示す斜視図である。
【図２】  同実施例の浴室内部を上方から見た斜視図である。
【図３】  図１における水栓を詳しく示す図である。
【図４】  同実施例の浴室の利点の説明図である。
【図５】  同実施例の浴室の利点を説明する図４とは異なる説明図である。
【符号の説明】
１２  浴槽
１４Ａ，１４Ｂ，１４Ｃ，１４Ｄ  壁
１６  出入口
２４  手摺り
２６  第１の水栓
２８  第２の水栓
４０  グリップ部
５４，５６  配管
７０  シャワーホース
【図１】
0004170571.tif 000002
【図２】
0004170571.tif 000003
【図３】
0004170571.tif 000004
【図４】
0004170571.tif 000005
【図５】
0004170571.tif 000006